(57)【特許請求の範囲】
【請求項１】
複数の項目から構成される複数のレコードを表示する表示部と、
前記複数のレコードからレコードを選択する選択部と、
前記複数のレコードから一のレコードが選択された状態で、所定の動作が検出されると、該一のレコードにおける所定項目の値が共通する他のレコードを抽出し、抽出された他のレコードを前記表示部に表示させるコントローラと、を備え、
前記抽出された他のレコードが前記表示部に表示されている状態で、前記所定の動作が検出されると、前記抽出された他のレコードが前記表示部に表示される前の表示に戻る、
装置。
【請求項２】
前記所定の動作を検出するセンサを備え、
前記コントローラは、前記センサの検出値が所定値以上となった場合に、前記他のレコードを抽出する、請求項１に記載の装置。
【請求項３】
複数の項目から構成される複数のレコードが表示される表示部と、前記複数のレコードからレコードを選択する選択部とを備えた装置において、表示制御を行う方法であって、
前記表示部に表示されている複数のレコードから前記選択部により一のレコードを選択するステップと、
前記一のレコードが選択された状態で所定の動作を検出するステップと、
前記選択された一のレコードにおける所定項目の値が共通する他のレコードを前記複数のレコードから抽出するステップと、
前記抽出された他のレコードを前記表示部に表示させる表示ステップと、
前記抽出された他のレコードが前記表示部に表示されている状態で、前記所定の動作が検出されると、前記抽出された他のレコードが前記表示部に表示される前の表示に戻るステップと、
を含む方法。
【請求項４】
複数の項目から構成される複数のレコードが表示される表示部と、前記複数のレコードからレコードを選択する選択部とを備えた装置に表示制御を実行させるプログラムであって、
前記表示部に表示されている複数のレコードから前記選択部により一のレコードを選択するステップと、
前記一のレコードが選択された状態で所定の動作を検出するステップと、
前記選択された一のレコードにおける所定項目の値が共通する他のレコードを前記複数のレコードから抽出するステップと、
前記抽出された他のレコードを前記表示部に表示させる表示ステップと、
前記抽出された他のレコードが前記表示部に表示されている状態で、前記所定の動作が検出されると、前記抽出された他のレコードが前記表示部に表示される前の表示に戻るステップと、
を前記装置に実行させるプログラム。
【発明の詳細な説明】
【技術分野】
【０００１】
本発明は、装置、方法及びプログラムに関する。特に、本発明は、タッチスクリーンディスプレイを有する装置、その装置を制御する方法及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、このような装置では、複数のアドレス情報から構成されるリストを記憶している。このアドレス情報には、人名等の名称、グループ名、電話番号、及びメールアドレス等が含まれている。装置のユーザは、このリストを使用して、電話又はメールの作成を行うことができる。
【０００６】
しかしながら、リストに登録されているアドレス情報が多い場合、人名で検索したり、グループで検索したりするため、ユーザが所望するアドレス情報を得るのに時間が掛かる場合がある。そこで、簡易的にアドレス情報を探すことができることが求められていた。
【０００７】
本発明は、簡易的にアドレス情報を探すことができる装置、方法及びプログラムを提供することを目的とする。
【課題を解決するための手段】
【０００８】
本発明に係る装置は、複数の項目から構成される複数のレコードを表示する表示部と、前記複数のレコードからレコードを選択する選択部と、前記複数のレコードから一のレコードが選択されると、該一のレコードの前記複数の項目のいずれかと共通する値の項目を有するレコードを抽出し、抽出されたレコードを前記表示部に表示させるコントローラと、を備える。
【０００９】
本発明に係る方法は、複数の項目から構成される複数のレコードが表示される表示部と、前記複数のレコードからレコードを選択する選択部とを備えた装置において、表示制御を行う方法であって、前記表示部に表示されている複数のレコードから前記選択部により一のレコードを選択するステップと、前記選択されたレコードの前記複数の項目のいずれかと共通する値の項目を有するレコードを前記複数のレコードから抽出するステップと、前記抽出されたレコードを前記表示部に表示させる表示ステップと、を含む。
【００１０】
本発明に係るプログラムは、複数の項目から構成される複数のレコードが表示される表示部と、前記複数のレコードからレコードを選択する選択部とを備えた装置に表示制御を実行させるプログラムであって、前記表示部に表示されている複数のレコードから前記選択部により一のレコードを選択するステップと、前記選択されたレコードの前記複数の項目のいずれかと共通する値の項目を有するレコードを前記複数のレコードから抽出するステップと、前記抽出されたレコードを前記表示部に表示させる表示ステップと、を前記装置に実行させる。
【発明の効果】
【００１１】
本発明によれば、ホーム画面におけるオブジェクトの操作性を向上することができる。
【図面の簡単な説明】
【００１２】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、ディスプレイにアドレス帳情報が表示された例を示す図である。
【図７】図７は、一のアドレス情報が選択された例を示す図である。
【図８】図８は、共通するグループが抽出された例を示す図である。
【図９】図９は、グループを選択するタブが表示された例を示す図である。
【図１０】図１０は、ディスプレイに表示されたアドレス情報から、グループ情報で絞り込む処理の流れを示すフローチャートである。
【図１１】図１１は、図１０に続くフローチャートである。
【図１２】図１２は、アドレス情報に係るメニュー画面の一例を示す図である。
【発明を実施するための形態】
【００１３】
本発明を実施するための実施形態を、図面を参照しつつ詳細に説明する。以下では、タッチスクリーンディスプレイを備える装置の一例として、スマートフォンについて説明する。
【００１４】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１５】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１６】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１７】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１９】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２０】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２１】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２２】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２３】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２４】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２５】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２６】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２７】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２８】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００２９】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３０】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３１】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３２】
図４に示す例では、４つのロケータ５１が表示されている。これは、ホーム画面４０の数が４つであることを示す。図４に示す例では、左から２番目のシンボルが他のシンボルと異なる態様で表示されている。これは、左から２番目のホーム画面が現在表示されていることを示している。
【００３３】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。スマートフォン１は、左フリックを検出すると、ディスプレイ２Ａに表示するホーム画面を１つ右のホーム画面に切り替える。
【００３４】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３５】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３６】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３８】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３９】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４０】
照度センサ４は、照度を検出する。例えば、照度とは、光の強さ、明るさ、輝度等である。照度センサ４は、例えば、ディスプレイ２Ａの輝度の調整に用いられる。
【００４１】
近接センサ５は、近隣の物体の存在を非接触で検出する。近接センサ５は、例えば、タッチスクリーンディスプレイ２が顔に近付けられたことを検出する。
【００４２】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４３】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４４】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の記憶デバイスを含んでよい。ストレージ９は、複数の種類の記憶デバイスを含んでよい。ストレージ９は、メモリカード等の可搬の記憶媒体と、記憶媒体の読み取り装置との組み合わせを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４６】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。ストレージ９は、複数のアドレス情報を含むアドレス帳情報が格納されている。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４８】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５０】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５１】
カメラ１２は、フロントフェイス１Ａに面している物体を撮影するインカメラである。カメラ１３は、バックフェイス１Ｂに面している物体を撮影するアウトカメラである。
【００５２】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５３】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５４】
このように構成されるスマートフォン１は、ディスプレイ２Ａに表示されているリストを構成するレコードを所定の動作に応じて抽出することによって、リストから簡易的にレコードを探すことができる。以下に、具体的な構成について説明する。
【００５５】
コントローラ１０は、ホーム画面を介してリストを表示するアプリケーションが選択されると、図６に示すように、ディスプレイ２Ａにリスト情報を表示させる。なお、ここでは、リスト情報としてアドレス帳情報を採用している。リスト情報を構成するレコードとして、個々のアドレス情報を採用している。
【００５６】
すなわち、アドレス帳情報には、複数のアドレス情報が含まれている。このアドレス情報は、複数の項目から構成されている。この複数の項目には、ユーザの名称を示すユーザ名と、電話番号と、メールアドレスと、当該ユーザが属するグループを示すグループ情報と、が含まれている。アドレス情報には、１又は複数のグループが登録可能である。グループ情報には、複数のグループ間における優先順位が関連付けられている。
【００５７】
図７に示すように、コントローラ１０は、複数のアドレス情報がディスプレイ２Ａに表示されている場合において、タッチスクリーン２Ｂによってタッチするジェスチャが検出されると、タッチされた位置に対応する一のアドレス情報を選択する。コントローラ１０は、選択されたアドレス情報の表示を変化させる。選択されたアドレス情報の表示を変化させる手法として、例えば反転表示が挙げられる。この選択されたアドレス情報の表示変化は、省略することができる。
【００５８】
コントローラ１０は、タッチスクリーン２Ｂにより、図７に示すように一のアドレス情報が選択された状態で所定の動作を検出すると、選択されたレコードと一のグループ情報の値が共通するアドレス情報を、アドレス帳情報に記憶されている複数のアドレス情報から抽出する。そして、コントローラ１０は、図８に示すように、抽出されたアドレス情報をディスプレイ２Ａに表示させる。なお、コントローラ１０は、選択されたアドレス情報に対して複数のグループが登録されているとき、優先順位が高いグループ情報を一のグループ情報としてアドレス情報を抽出する。この実施形態では、抽出されたアドレス情報に選択したアドレス情報を含めているが、選択したアドレス情報を含めなくてもよい。
【００５９】
コントローラ１０は、抽出されたアドレス情報がディスプレイ２Ａに表示されている場合においてタッチスクリーン２Ｂにタッチされ続けている状態であるとき、所定の動作を検出すると、選択されたアドレス情報と、抽出する処理で使用された一のグループ情報と異なるグループ情報が共通するアドレス情報を抽出する。そして、コントローラ１０は、後に抽出されたアドレス情報に表示を切り替える。すなわち、コントローラ１０は、タッチした状態で所定の動作を検出するごとに、最初に選択されたアドレス情報に含まれるグループ情報に基づいてアドレス情報の抽出を行う。
【００６０】
ここで、所定の動作とは、スマートフォン１を振る動作である。コントローラ１０は、加速度センサ１５により所定値以上の加速度が検出された場合に、当該振る動作が行われたと判定する。なお、コントローラ１０は、回転検出センサ１７により、所定値以上の角速度が検出された場合に、振る動作が行われたと判定するようにしてもよい。
【００６１】
したがって、スマートフォン１は、一のアドレス情報を選択している状態において所定の動作が行われたことを検出したことに応じて、選択されたアドレス情報に含まれるグループ情報と値が共通するアドレス情報を抽出してディスプレイ２Ａに表示させる。よって、スマートフォン１は、ユーザが選択したアドレス情報に関連するグループを含んでいるアドレス情報を検索したい場合に、アドレス帳情報から簡易的にアドレス情報を探すことができる。
【００６２】
スマートフォン１は、タッチスクリーン２Ｂに指がタッチされ続けている状態で所定の動作を検出することにより、抽出する処理で既に使用されたグループ情報と異なるグループ情報が共通するアドレス情報を抽出する。よって、簡易的な動作で、複数のグループ情報それぞれに対応するアドレス情報を抽出することができる。
【００６３】
スマートフォン１は、スマートフォン１を振るという簡易的な動作を契機として、選択されたアドレス情報に含まれるグループ情報と値が共通するアドレス情報を検索することができる。
【００６４】
上述では、スマートフォン１の構成と動作について説明したが、これに限られず、各構成要素を備え、操作性を向上させるための方法や、プログラムとして構成されてもよい。
【００６５】
コントローラ１０は、ディスプレイ２Ａに複数のアドレス情報が表示されている場合において、タッチスクリーン２Ｂにおいて一のアドレス情報が選択された状態で所定の動作を検出すると、図９に示すように、複数のグループ情報それぞれに対応し、グループ情報の選択を受け付ける画像をディスプレイ２Ａに表示させる。図９に示すように、当該画像には、グループの名称が表示されている。コントローラ１０は、これらの選択を受け付ける画像を、タブ画像として表示させる。
【００６６】
そして、コントローラ１０は、グループの名称が選択されると、当該グループの名称に対応するグループ情報を含むアドレス情報をアドレス帳情報から抽出する。つまり、コントローラ１０は、タッチスクリーン２Ｂにおいて、当該画像のいずれかがタッチするジェスチャによって選択されると、選択された画像に対応するグループ情報を含むアドレス情報をアドレス帳情報から抽出する。そして、コントローラ１０は、抽出されたアドレス情報をディスプレイ２Ａに表示させる。
【００６７】
コントローラ１０は、グループ情報の選択を受け付ける画像をディスプレイ２Ａに表示させる場合に、図９に示すように、優先順位が高いグループを選択した状態で表示させるようにしてもよい。
【００６８】
したがって、スマートフォン１は、所定の動作によって、グループの選択を受け付ける画像をディスプレイ２Ａに表示させるので、スマートフォン１のユーザは、選択されたアドレス情報に設定されているグループ情報を確認することができる。スマートフォン１は、当該画像が選択されると、選択されたアドレス情報と、選択された画像に対応するグループ情報が共通するアドレス情報をアドレス帳情報から抽出する。よって、スマートフォン１は、画像の選択を受け付けることによって、選択されたアドレス情報とグループ情報が共通するアドレス情報を抽出することができる。
【００６９】
コントローラ１０は、抽出されたアドレス情報がディスプレイ２Ａに表示されている場合に、タッチスクリーン２Ｂにおいて操作が行われていない状態で所定の動作を検出すると、ディスプレイ２Ａに対して、抽出したアドレス情報が表示される前に表示されていた複数のアドレス情報をディスプレイ２Ａに表示させる。
【００７０】
したがって、スマートフォン１は、タッチスクリーン２Ｂに接触されていない状態で所定の動作を検出することにより、ディスプレイ２Ａにおける表示を当初表示されていた複数のアドレス情報に戻すことができる。
【００７１】
コントローラ１０は、ディスプレイ２Ａに複数のアドレス情報が表示されている場合において、タッチスクリーン２Ｂに対するタッチによって一のアドレス情報が選択された状態で、タッチスクリーン２Ｂにより所定操作を検出すると、選択されたアドレス情報の詳細情報をディスプレイ２Ａに表示させる。ここで、所定操作とは、一のアドレス情報が選択された状態で、当該一のアドレス情報に対応した位置においてロングタッチを行う操作である。アドレス情報の詳細情報とは、ユーザ名、電話番号、メールアドレス、グループ情報等である。なお、所定操作は、例えば、ダブルタップ、右フリック又は左フリック等、他のジェスチャであってもよい。コントローラ１０は、ロングタッチを行う操作に限らず、ボタン３が操作されたことに応じて、アドレス情報の詳細情報を表示させるようにしてもよい。
【００７２】
したがって、スマートフォン１は、タッチスクリーン２Ｂに対するタッチによって一のアドレス情報が選択された状態で、ロングタッチ又はダブルタップを検出することによって当該アドレス情報の詳細情報を表示することができる。
【００７３】
コントローラ１０は、ディスプレイ２Ａに複数のアドレス情報が表示されている場合において、タッチスクリーン２Ｂに対するタッチによって複数のアドレス情報が選択された状態で所定の動作を検出すると、選択された複数のアドレス情報において共通するグループ情報を有するアドレス情報を抽出し、抽出されたアドレス情報をディスプレイ２Ａに表示させる。
【００７４】
具体的には、コントローラ１０は、選択された複数のアドレス情報において共通するグループ情報が複数ある場合、抽出されたアドレス情報のうち、共通するグループ情報の数が多いアドレス情報から順にディスプレイ２Ａに表示させる。
【００７５】
例えば、選択されたアドレス情報に、グループが「サッカー仲間」、「自転車仲間」が含まれている場合、コントローラ１０は、アドレス帳情報から、「サッカー仲間」、「自転車仲間」の少なくともいずれかが含まれているアドレス情報を抽出する。そうすると、抽出されたアドレス情報には、「サッカー仲間」、「自転車仲間」が含まれているものと、「サッカー仲間」のみ含まれているものと、「自転車仲間」のみ含まれているものと、の少なくともいずれかが含まれる。
【００７６】
「サッカー仲間」、「自転車仲間」が含まれているアドレス情報は、共通するグループ情報の数が最も多いので、コントローラ１０は、当該アドレス情報から順にディスプレイ２Ａに表示させる。コントローラ１０は、共通するグループ情報の数が等しいアドレス情報については、グループ情報に関連付けられた優先順位が高いものから順にディスプレイ２Ａに表示させる。
【００７７】
つぎに、スマートフォン１による、ディスプレイ２Ａに表示されたアドレス情報から、グループ情報で絞り込む処理の流れについて、図１０及び図１１に示すフローチャートを参照しながら説明する。なお、本フローチャートの開始時には、複数のアドレス情報が選択されているものとする。
【００７８】
ステップＳＴ１において、コントローラ１０は、タッチスクリーン２Ｂにおいてタッチするジェスチャを検出したか否かを判定する。コントローラ１０は、この判定がＹＥＳの場合、ステップＳＴ２に処理を移す。コントローラ１０は、この判定がＮＯの場合、図１１に示すステップＳＴ１３に処理を移す。
【００７９】
ステップＳＴ２において、コントローラ１０は、タッチされたアドレス情報を選択する。ここで、コントローラ１０は、複数のアドレス情報がタッチされた場合、タッチされた複数のアドレス情報を選択する。
【００８０】
ステップＳＴ３において、コントローラ１０は、所定操作が行われたか否かを判定する。すなわち、コントローラ１０は、ステップＳＴ１において検出したタッチがロングタッチであるか否かを判定する。コントローラ１０は、この判定がＹＥＳの場合、ステップＳＴ４に処理を移す。コントローラ１０は、この判定がＮＯの場合、ステップＳＴ６に処理を移す。
【００８１】
ステップＳＴ４において、コントローラ１０は、１つのアドレス情報が選択されている状態であるか否かを判定する。コントローラ１０は、この判定がＹＥＳの場合、ステップＳＴ５に処理を移す。コントローラ１０は、この判定がＮＯの場合、ステップＳＴ６に処理を移す。
ステップＳＴ５において、コントローラ１０は、選択されているアドレス情報の詳細情報をディスプレイ２Ａに表示させる。コントローラ１０は、この処理が終了すると、本フローチャートの処理を終了する。
【００８２】
ステップＳＴ６において、コントローラ１０は、リリースされてから所定時間経過したか否かを検出する。コントローラ１０は、この判定がＹＥＳの場合、ステップＳＴ１に処理を移す。コントローラ１０は、この判定がＮＯの場合、ステップＳＴ７に処理を移す。
【００８３】
ステップＳＴ７において、コントローラ１０は、所定動作を検出したか否かを判定する。コントローラ１０は、この判定がＹＥＳの場合、ステップＳＴ８に処理を移す。コントローラ１０は、この判定がＮＯの場合、ステップＳＴ１２に処理を移す。
【００８４】
ステップＳＴ８において、コントローラ１０は、既にアドレス情報が抽出され、ディスプレイ２Ａに表示されているか否かを判定する。コントローラ１０は、この判定がＹＥＳの場合、ステップＳＴ９に処理を移す。コントローラ１０は、この判定がＮＯの場合、ステップＳＴ１０に処理を移す。
【００８５】
ステップＳＴ９において、コントローラ１０は、アドレス帳情報から、ステップＳＴ２において選択されたアドレス情報のグループ情報であって、既に抽出に使用されたグループ情報と異なるグループ情報が共通するアドレス情報を抽出する。
ステップＳＴ１０において、コントローラ１０は、アドレス帳情報から、ステップＳＴ２において選択されたアドレス情報のグループ情報と共通するアドレス情報を抽出する。コントローラ１０は、アドレス情報に複数のグループ情報が含まれている場合、優先順位の高いグループ情報に基づいて抽出を行う。
【００８６】
ステップＳＴ１１において、コントローラ１０は、ステップＳＴ９又はステップＳＴ１０において抽出されたアドレス情報をディスプレイ２Ａに表示させる。
【００８７】
ステップＳＴ１２において、コントローラ１０は、アドレス帳情報の表示を終了させる操作を検出したか否かを判定する。コントローラ１０は、この判定がＹＥＳの場合、本フローチャートを終了する。コントローラ１０は、この判定がＮＯの場合、ステップＳＴ６に処理を移す。
【００８８】
図１１に説明を移す。ステップＳＴ１３において、コントローラ１０は、所定動作を検出したか否かを判定する。コントローラ１０は、この判定がＹＥＳの場合、ステップＳＴ１４に処理を移す。コントローラ１０は、この判定がＮＯの場合、図１０のステップＳＴ１に処理を移す。
【００８９】
ステップＳＴ１４において、コントローラ１０は、既にアドレス情報が抽出され、ディスプレイ２Ａに表示されているか否かを判定する。コントローラ１０は、この判定がＹＥＳの場合、ステップＳＴ１５に処理を移す。コントローラ１０は、この判定がＮＯの場合、図１０のステップＳＴ１に処理を移す。
【００９０】
ステップＳＴ１５において、コントローラ１０は、ステップＳＴ９又はステップＳＴ１０において抽出されて、ディスプレイ２Ａに表示されているアドレス情報を、当初の複数のアドレス情報の表示に切り替える。コントローラ１０は、この処理が終了すると、図１０のステップＳＴ１に処理を移す。
【００９１】
したがって、スマートフォン１は、一のアドレス情報を選択している状態において所定の動作が行われたことを検出したことに応じて、選択されたアドレス情報に含まれるグループ情報と値が共通するアドレス情報を抽出してディスプレイ２Ａに表示させる。よって、スマートフォン１は、ユーザが所定のグループを含むアドレス情報を検索したい場合に、アドレス帳情報から簡易的にアドレス情報を探すことができる。
【００９２】
なお、図５においてストレージ９が記憶することとしたプログラムの一部又は全部は、通信ユニット６による無線通信で他の装置からダウンロードされてもよい。図５においてストレージ９が記憶することとしたプログラムの一部又は全部は、ストレージ９に含まれる読み取り装置が読み取り可能な記憶媒体に記憶されていてもよい。図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
【００９３】
図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えることとしたが、スマートフォン１は、１つのカメラのみを備えてもよいし、カメラを備えなくてもよい。図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。照度センサ４と近接センサ５は、別体ではなく、単一のセンサにより構成されてもよい。
【００９４】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【００９５】
例えば、図５に示した各プログラムは、複数のモジュールに分割されていてもよいし、他のプログラムと結合されていてもよい。
【００９６】
上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。添付の請求項に係る装置は、デスクトップパソコン、テレビ受像器等の据え置き型の電子機器であってもよい。
【００９７】
上記の実施形態では、コントローラ１０が、図７に示すように一のアドレス情報が選択された状態で所定の動作を検出すると、選択されたレコードと一のグループ情報の値が共通するアドレス情報を、アドレス帳情報に記憶されている複数のアドレス情報から抽出することとしたが、これに限られない。
【００９８】
例えば、コントローラ１０は、一のアドレス情報がタッチされた場合に、例えば、図１２に示されるように、当該アドレス情報に係るメニュー情報を表示させるようにしてもよい。そして、コントローラ１０は、このメニュー情報が表示されている場合において、所定動作を検出したことに応じて、選択されたレコードと一のグループ情報の値が共通するアドレス情報を、アドレス帳情報から抽出するようにしてもよい。
【００９９】
例えば、コントローラ１０は、一のアドレス情報がタッチジェスチャで選択された後に、一のアドレス情報に対する他のタッチジェスチャが検出された場合、選択されたレコードと一のグループ情報の値が共通するアドレス情報を抽出するようにしてもよい。この他のタッチジェスチャとしては、例えばフリック、スイープ等が挙げられる。この場合、アドレス情報を選択するタッチジェスチャと、共通するアドレス情報を抽出する他のジェスチャを連続なジェスチャとして入力することができる。
【符号の説明】
【０１００】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  テーブル
９Ｅ  配置パターンデータベース
９Ｚ  設定データ
１０    コントローラ
１２、１３  カメラ
１４    外部インターフェイス
１５    加速度センサ
１６    方位センサ
１７    回転検出センサ
２０    ハウジング
【図１】
0005971926.tif 000002
【図２】
0005971926.tif 000003
【図３】
0005971926.tif 000004
【図４】
0005971926.tif 000005
【図５】
0005971926.tif 000006
【図６】
0005971926.tif 000007
【図７】
0005971926.tif 000008
【図８】
0005971926.tif 000009
【図９】
0005971926.tif 000010
【図１０】
0005971926.tif 000011
【図１１】
0005971926.tif 000012
【図１２】
0005971926.tif 000013